(57)【特許請求の範囲】
【請求項１】
放射線画像の記録された記録プレートを収納したカセッテが装填されるカセッテ装填部と、
前記記録プレートから画像情報を読み取るための画像読取手段と、
前記装填されたカセッテと前記画像読取手段との間で前記記録プレートを搬送する搬送手段とを有し、
前記搬送手段と前記画像読取手段とによる前記記録プレートの読取処理を予約し、予約順に読取処理を実行する放射線画像記録読取装置において、
前記カセッテ装填部に装填されたカセッテに設けられた緊急標識を読み取る読取センサと、
前記読取センサが緊急標識を読み取ったときに、予約順の読取処理に優先して、緊急標識が設けられた前記カセッテに収納された記録プレートの読取処理を実行させる制御部とを有することを特徴とする放射線画像記録読取装置。
【発明の詳細な説明】
【０００１】
【発明の属する技術分野】
本発明は、放射線画像変換プレートに記憶された放射線画像の読み取りを行いディジタル信号に変換して画像表示したり記憶する放射線画像記録の読取装置に関する。
【０００２】
【従来の技術】
従来、診察の目的で放射線画像変換プレートを収納したカセッテを撮影装置に装填してＸ線撮影を行った後、このカセッテを撮影装置から取り出してから装填して放射線画像変換プレートに記録された放射線画像をディジタル信号に変換して読み取るようにした放射線画像記録の読取装置が知られている。
【０００３】
このような放射線画像記録読取装置における放射線画像変換プレートからの放射線画像の読取処理は、通常、Ｘ線撮影側からの読取予約順に行うことにより、その取り扱いが容易となり、また迅速な処理が可能となる。
【０００４】
ところが、予約読取の実行中に緊急患者の診断等のために緊急に読取処理を行わなければならない場合が発生することがある。また、複数のカセッテを装填して読取処理を行うことのできる放射線画像記録読取装置では、どのカセッテがどのような読取処理状態（例えば、読取待機中、読取中、読取終了）であるか分からないと、緊急読取のためのカセッテの装填のためどのカセッテを引き出せばよいか分からない。
【０００５】
【発明が解決しようとする課題】
本発明の目的は、予約読取の実行中においても緊急患者の診断等のために緊急に読取処理を実行することのできる放射線画像記録読取装置を提供することである。
【０００６】
また、複数のカセッテを装填して読取処理を行う場合、カセッテの読取処理状態を知り、緊急読取のためのカセッテを迅速かつ正確に装填することのできる放射線画像記録読取装置を提供することである。
【０００７】
【課題を解決するための手段】
上記目的を達成するために、本発明は、放射線画像の記録された記録プレートを収納したカセッテが装填されるカセッテ装填部と、前記記録プレートから画像情報を読み取るための画像読取手段と、前記装填されたカセッテと前記画像読取手段との間で前記記録プレートを搬送する搬送手段とを有し、前記搬送手段と前記画像読取手段とによる前記記録プレートの読取処理を予約し、予約順に読取処理を実行する放射線画像記録読取装置において、前記カセッテ装填部に装填されたカセッテに設けられた緊急標識を読み取る読取センサと、前記読取センサが緊急標識を読み取ったときに、予約順の読取処理に優先して、緊急標識が設けられた前記カセッテに収納された記録プレートの読取処理を実行させる制御部とを有することを特徴とする。
【０００８】
本発明によれば、緊急読取モードが読取予約モードに優先するから、予約順に読取処理を実行している場合でも、緊急読み取りを迅速に実行することができる。このため、緊急患者の診断等のために緊急に読取処理を行うことが可能となる。
【０００９】
また、情報入力のための入力手段を備え、前記緊急読取モードが前記入力手段により選択されるようにできる。これにより、装置の読取モードを緊急読取モードに容易にすることができる。
【００１０】
前記カセッテが前記緊急読取モードの識別手段を備え、このカセッテが前記カセッテ装填部に装填されたとき、前記識別手段を識別することにより前記緊急読取モードが選択されるようにできる。これにより、緊急読み取りのためのカセッテをカセッテ装填部に装填するだけで装置の読取モードを緊急読取モードにすることができるから、緊急読取時の装置の操作が容易となり、便利である。
【００１１】
また、前記緊急読取モードによる読取処理は、前記予約読取モードによる読取処理が終了してから実行されるようにできる。これによれば、緊急読取モードにおける読み取りを、予約読取モードによる読取処理が行われている場合、その読取処理の終了後に実行できるから、両モードの読取処理が混合してしまうことはない。
【００１２】
前記カセッテ装填部は複数のカセッテを装填するように構成できる。
【００１３】
前記装填されたカセッテの読取処理状態を表示する表示手段を備えるようにできる。これによれば、複数のカセッテを装填して読取処理を行う場合、この表示手段によりカセッテの読取処理状態を知ることができるから、緊急読取のためのカセッテを迅速かつ正確にカセッテ装填部に装填することができる。
【００１４】
【発明の実施の形態】
以下、本発明による実施の形態について図面を用いて説明する。図１は本実施の形態による放射線画像記録読取装置本体の概略的な構成を示す図、図２は同装置に装填されるカセッテの斜視図、図３は図２に示すカセッテに収納された放射線画像変換プレートを引き出した状態を示す斜視図、図４は図２のカセッテに放射線画像変換プレートを収納した状態を、上部のケース半体を省略して示す平面図、図５は図２に示すカセッテの平面図、及び図６は放射線画像記録読取装置の斜視図である。図１の放射線画像記録読取装置１は、装置本体２に、カセッテスタッカ部３，プレート搬送部４，画像読取部５，システム制御部６，操作部７、及び電源部８を備える。
【００１５】
カセッテスタッカ部３は、図３及び図４のように放射線画像変換プレート１２をそれぞれ収納した複数種類のカセッテ９が装填可能なように構成されている。放射線画像変換プレート１２は例えば輝尽性蛍光体層を有し、この輝尽性蛍光体層は放射線画像変換プレート１２に例えば気相堆積法や塗布法により形成することができる。別の放射線撮影装置において放射線発生源から被写体を介して放射線画像変換プレート１２に放射線を照射した際に、輝尽性蛍光体層は、放射線発生源からの照射放射線量に対する被写体の放射線透過率分布に従ったエネルギーを蓄積して潜像を画像情報として形成する。なお、輝尽性蛍光体層は、環境による悪影響及び損傷を遮断するために保護部材によって遮蔽または被覆されている。
【００１６】
プレート搬送部４は、カセッテスタッカ部３の下方に位置し、カセッテスタッカ部３内のカセッテ位置と画像読み取り部５との間で放射線画像変換プレート１２を搬送する。即ち、カセッテ９内の放射線変換プレート１２を引き出してから、放射線画像変換プレート１２を図１の垂直方向のＶ方向に装置下方へ搬送し、次に水平方向Ｈに画像読み取りのため画像読取部５へ搬送する。画像読取部５における画像読み取りが終了した放射線画像変換プレート１２は、Ｈ’方向、Ｖ’方向を搬送されて逆の経路をたどり元のカセッテ９内に収納される。
【００１７】
画像読取部５は、走査部７の下方に位置し、副走査部と主走査部とを備え、副走査部が主走査部を副走査方向に搬送する。副走査方向に搬送されながら主走査部が放射線画像変換プレート１２に対しレーザ走査を行うことにより放射線画像変換プレートに１２に記録された画像情報を読み取る。
【００１８】
システム制御部６は、装置全体の制御、画像処理、出力制御、画像管理及び記憶部の制御等を行うメインＣＰＵと、カセッテスタッカ部３，プレート搬送部４及び画像読取部５等を制御する読取制御及び画像入力制御部とを備える。画像読取部５で読み取られた画像情報がメインＣＰＵに送られる。操作部７は、図６に示すようにＣＲＴ７０及びＣＲＴ７０の表面に設けられたタッチパネル７１を備え、タッチパネル７１から入力された指令情報がシステム制御部６のメインＣＰＵに送られ、メインＣＰＵによりこの指令に基づいて各制御が行なわれる。
【００１９】
また、図１に示すように、プレート搬送部４の上部には、放射線画像変換プレート１２の画像記録を消去するための消去光源を有する消去部１３が配置されている。この消去光源としては、例えば３００Ｗハロゲンランプ２本を用いることができ、この光源からの消去光を放射線変換プレート１２に対して照射して残像の消去を行うことができる。この残像の消去とは、放射線画像変換プレート１２を消去光により照射することによって、画像読取部５でのレーザビーム走査による画像の読み取り後に放射線画像変換プレート１２に残留している放射線エネルギを放出することである。この消去動作は、放射線画像変換プレート１２がプレート搬送部４により垂直方向Ｖ’へ搬送され、元のカセッテ９内へ戻される際に行われる。即ち、放射線画像プレート１２の画像を消去しながら放射線画像変換プレート１２がカセッテスタッカ部３のカセッテ９内に収納される。
【００２０】
次に、カセッテの構成及び動作について更に説明する。図２に示すように、カセッテ９は、ケース半体９００，９０１を合わせてその周囲で複数のビス９０２により締め付けて一体化することにより矩形体状にその外枠が構成されている。カセッテ９の一端面には、開口９０３が形成され、この開口９０３から放射線画像変換プレート１２を引き出すことができるように構成されている。
【００２１】
図３及び図４に示すように、放射線画像変換プレート１２はカセッテ９内の剛性のあるトレイ９０４に固定されている。このトレイ９０４には、図４のように放射線画像変換プレート１２の画像記録のされない領域に対応して一対の係止ピン９０５が設けられている。この係止ピン９０５は放射線画像変換プレートに貫通している。また、一対の係止ピン９０５をガイドするようにガイドプレート９０６が配置され、そこに細長状に形成された案内孔９０６ａ内で係止ピン９０５が摺動可能となっている。このガイドプレート９０６の開口９０３側には、この開口９０３を覆い閉塞するように形成されたキャップ部９０７が取り付けられている。
【００２２】
図２，図３及び図４に示すように、キャップ部９０７には、キャップ部９０７による閉塞状態を保持するロック機構９０８が内蔵されており、このロック機構９０８はロック孔９０９からそのロック状態を解除できるように構成されている。キャップ部９０７の端面側には一対のレバー９１０が設けられている。ロック機構９０８が解除された状態で、外部に備えられたアームの爪部（図示省略）が一対のレバー９１０に係合してから、このアーム（図示省略）が図２の矢印方向ａに移動すると、キャップ部９０７と共にガイドプレート９０６が図４の矢印方向ｂに移動する。そして、この移動によりガイドプレート９０６の案内孔９０６ａの端部が一対の係止ピン９０５に図４の波線のように当接してから、更にアームが移動すると、係止ピン９０５と共にトレイ９０４及び放射線画像変換プレート１２が図３のように引き出される。また、上述と逆の動作により、放射線画像変換プレート１２をトレイ９０４と共にカセッテ内に再び収納することができる。
【００２３】
図２及び図５に示すように、カセッテ９のケース半体９００の面には、白部と黒部とにより所定の識別情報が構成された識別シール９１１が貼り付けられている。この識別シール９１１には識別情報としてカセッテ９の種類、そのサイズ、、撮影条件等が記録されており、また、識別シール９１１の検出により、カセッテ９のカセッテスタッカ部３への誤投入の検出を行うことができる。また、識別シール９１１において図５のような位置に黒部を設けることによりこの黒部を緊急標識９１１ａとすることができる。
【００２４】
また、カセッテ９には、図２，図５のように矢印指示マーク９１２が形成され、このマーク９１２の矢印方向にカセッテ９をカセッテスタッカ部３に差し込むように投入する。これにより、装置の使用者はカセッテ９の投入方向を知ることができるが、また、例えばカセッテ９のキャップ部９０７の外面を別の色にして、キャップ部９０７を下側にして投入することにより、投入方向を誤らないように操作できる。
【００２５】
また、図２，図５に示すように、カセッテ９の半体ケース９００の面には、凹部９００ａが形成され、この凹部９００ａ内に診療記録クリップ９１３が設けられている。凹部９００ａとクリップ９１３との間に診療記録紙や医師からの指示書等を挟んで保持することができる。
【００２６】
次に、カセッテスタッカ部３及び操作部７について説明する。図６に示すように、カセッテスタッカ部３は、放射線画像記録読取装置１の上部右側に配置され、カセッテ９が差し込まれる複数のスロットの設けられたカセッテ投入部３００を備える。操作部７は、装置１の上部にカセッテスタッカ部３に近接して配置されている。この配置により、操作部７で所定の操作を行いながらカセッテスタッカ部３の投入部３００にカセッテ９を投入できるため、操作が容易である。
【００２７】
カセッテスタッカ部３の投入部３００は、投入ガイド部３０１及びカセッテ９を収納する収納部３０２を備える。投入ガイド部３０１は、収納部３００２に向かって延びる溝状に形成され、カセッテ９を収納部３０２に水平状態を保って導くように構成されている。収納部３０２には、カセッテ９が所定の隙間を保って収納され、保持される。
【００２８】
カセッテ９は、カセッテの長辺を水平にした状態で、図５の矢印方向９１２に差し込まれ、図６のガイド部３０１上をスライドしながら収納部３０２に投入される。この投入と同時に、スロット毎に収納部３０２の開口に設けられた遮光シャッタ３０３が閉じて、外部からの漏れ光を防ぐ。このとき、収納部３０２内に配置された読取センサ（図示省略）により識別シール９１１を読み取ることにより、カセッテの投入方向及びその表裏の判別を行い、もし誤投入された場合には、各収納部３０２の上部に設けられらた発光部３０４が発光して、使用者に知らせるようになっている。また、発光部３０４はカセッテの読取処理中には別の色で発光することにより、読取処理中であることを知らせる。また、誤投入時にはブザー等による警告を発するようにしてもよい。
【００２９】
操作部７には、表示部としてＣＲＴ７０及びＣＲＴ７０の表面上に配置されたタッチパネル７１が備えられている。ＣＲＴ７０上には、例えば検査予約や患者登録等の操作、装置各部の状態や設定、及び読み取られた画像の各表示を行うことができる。また、タッチパネル７１からその表面を使用者がタッチして押すことにより所定の情報を入力することができる。
【００３０】
放射線画像記録読取装置１のシステム制御部６により制御される記憶部には、撮影予約リストとして、患者情報、撮影条件、入力情報、出力情報、処理情報及びオーダー情報等が記憶され登録されている。この撮影予約リストに基づいて各カセッテ９内の放射線画像変換プレート１２から放射線画像が読み取られて読取処理が実行される。また、予約撮影リストの各情報を必要に応じてＣＲＴ７０上で参照することができ、またタッチパネル７１上からその内容を変更することができる。
【００３１】
図１に示す放射線画像記録読取装置１は、読取の予約順にカセッテの読取処理を行う予約読取モードと、読取予約に優先してカセッテの読取処理を行う緊急読取モードとを有する。図７（ａ）に、この予約読取モードの場合の基本画面である撮影予約リストの予約順を表示するＣＲＴ７０上の画面を示し、図７（ｂ）に予約情報参照／修正画面を示す。
【００３２】
図７（ａ）に示すように、予め図７（ｂ）の予約画面にて入力された撮影予約リストの予約順が患者７０１，７０２，７０３，７０４の順序に表示されており、この順にカセッテの読取処理が実行される。また、図７（ｂ）に示すように、入力画面７０５で予約情報を参照しながら入力画面７０５から予約情報の修正を行うことができる。この予約情報参照／修正の画面は、図７（ａ）の「参照」スイッチ７２１をタッチすることにより、表示される。また、この図７（ｂ）の画面から「メニュー」スイッチ７２２にタッチすることにより図７（ａ）の画面に戻ることができる。なお、撮影予約リストへの入力は、病院や情報システムなどの外部からオンラインを通して行うこともできる。
【００３３】
図８に、カセッテの読取処理状態を表示するＣＲＴ７０上の画面を示す。この画面には予約画面７０７が表示され、患者の氏名、ＩＤ（識別）番号、性別、胸部、腹部などのような撮影部位等を表す条件が患者毎に表示されている。また、表示部７０７には、読取処理中の患者のＩＤ番号等が表示され、その下方の表示部７０８，７０９，７１０に読取処理順に患者のＩＤ番号等が表示されている。なお、この図８の画面は、図７（ａ）の「読取」スイッチ７２１ａにタッチすることにより表示できる。
【００３４】
図６のカセッテスタッカ部３の収納部３０２に撮影の済んだカセッテ９を投入すると、カセッテに付された患者のＩＤ番号等が自動的に読み取られて、投入されたカセッテと予約オーダとが対応されてから、読取処理に移る。この読み取り状態が収納部３０２の各スロット毎に読取状態表示部７１１〜７１５に表示される。この表示としては、読取準備、読取中、読取完了、読取未完了、トラブル発生等があり、表示部７１１〜７１５の発光色を変え、また点滅させる等により行うことができる。このように、読取状態表示部７１１〜７１５を設けることにより、カセッテの読み取り処理状態がわかるため、読み取りの完了したカセッテを取り出し次のカセッテを投入して読み取り準備を順次に行うことができ、迅速な読み取り処理が可能となる。なお、カセッテの読取中には投入されたカセッテの取り出しが禁止され、読取完了、読取未完了、トラブル発生の各状態ではカセッテを取り出すことが可能となっている。
【００３５】
次に、放射線画像記録読取装置において、読取の予約順にカセッテの読取処理を行う予約読取モードを実行中に、急患等のカセッテを緊急に読み取り処理しなければならない場合について説明する。この緊急読取モードは、図７（ａ）の「緊急」スイッチ７２０ａまたは図８の「緊急読取」スイッチ７２０を押すことにより、選択される。これらの緊急読取用スイッチ７２０ａ，７２０が選択されると、その表示が点滅し、緊急読取モードであることが分かるようになっている。
【００３６】
この緊急読み取りのカセッテをカセッテスタッカ部３に投入すると、図５に示す識別シール９１１の読み取り時にその緊急標識９１１ａが読み取られ、緊急読み取りのカセッテであることが認識される。また、緊急読み取りモードが選択されると、ＣＲＴ７０上に図７（ｂ）の予約情報参照／修正画面が表示され、この入力画面７０５に所定事項をタッチ入力する。
【００３７】
なお、カセッテ９上の識別シール９１１の緊急標識９１１ａが読み取られると、装置が自動的に緊急読取モードになるように構成できる。これにより、スイッチ７２０ａ，７２０を緊急読み取りの都度押さなくてもカセッテを投入するだけで緊急読取モードにすることができる。また、緊急読取用のカセッテを予約読取用と識別するために、例えばカセッテの側面を異なる色に構成してもよい。
【００３８】
また、緊急読み取りのカセッテをカセッテスタッカ部３の収納部３０２に投入する際に、収納部３０２の各スロット毎にそのカセッテの読取状態が読取状態表示部７１１〜７１５に表示されるから、この表示により各スロットに装填されたカセッテの読取処理状態を知ることができ、緊急読取のためのカセッテを迅速かつ正確に収納部３０２のスロットに装填することができる。
【００３９】
図９のフローチャートにより、本実施の形態による、予約読取モードと、読取予約に優先してカセッテの読取処理を行う緊急読取モードとにおける読み取り処理について説明する。上述のように、緊急読取スイッチ７２０，７２０ａが押される等により装置が緊急読取モードであるか否かを判断し（Ｓ０１）、緊急読取モードであると、緊急読取のカセッテがカセッテスタッカ部に装填されているか否かを判断する（Ｓ０２）。装填されていると、緊急読取スイッチ７２０，７２０ａを赤点滅させる等により、緊急モードであることを表示する（Ｓ０９）とともに、上述のように所定事項が入力された後、現在読み取り中の予約済みカセッテの読み取り終了を待って（Ｓ１０）、緊急に画像読取のための処理が行われる（Ｓ０３）。他にも緊急読み取りのカセッテがある場合には続いて読み取りが行われ（Ｓ０４）、なければ緊急読取スイッチ７２０，７２０ａの赤点滅を止める等により緊急読み取り終了の表示をする（Ｓ０５）。なお、緊急読み取り終了を知らせるために、ブザー等により警告音がでるようにしてもよい。
【００４０】
次に、再び緊急読取モードであるかの判断をするステップＳ０１に戻り、緊急読取モードでなければ、予約読取モードとなる（Ｓ０６）。予約読取のカセッテが装填されている場合には（Ｓ０７）、そのカセッテの画像読み取りを行い（Ｓ０８）、装填されていなければ読み取り処理が終了する。予約読取のカセッテの読み取り（Ｓ０８）が終了すると、ステップＳ０１に戻り、緊急読取モードであるかの判断をする。
【００４１】
以上のような本実施の形態による読取処理によれば、予約読取モードの読み取りがカセット毎に終了する度に緊急読取モードであるか判断するから、読取未終了の予約読取カセッテがまだ残っていても、この読取予約に優先して緊急読取のカセッテについて読み取り処理が行われる。このため、本実施の形態による放射線画像記録読取装置によれば、緊急患者の診断を早急に行わなければならない等の緊急読取に迅速に対応することができる。
【００４２】
また、図６のように、複数のカセッテを装填して順に読取処理を行うことのできる放射線画像記録読取装置では、緊急読取モードにおける読み取りが、予約読み取りモードによる読み取り処理の終了後に、実行されるから、両モードの読取処理が混合してしまう、といった不具合は生じない。
【００４３】
次に、図１０に、カセッテ９の投入により緊急読み取りモードにするためにカセッテ９に設けた緊急識別手段の変形例を二例示す。図１０のカセッテ９には「緊急」の文字９２１が表されている。装置内に「緊急」の文字９２１を読み取ることのできる光学センサ（図示省略）を備えることにより、カセッテ投入時にこの文字を読み取ると、自動的に緊急読取モードにすることができる。なお、この光学センサにより患者名を読み取るようにもできる。
【００４４】
また、図１０のカセッテ９の投入方向側面に切り欠き９２０を設け、装置内にこの切り欠き９２０の存在を検知する検知センサ（図示省略）を設けることにより、カセッテ投入時に切り欠きの存在を検知することにより、自動的に緊急読取モードにすることができる。
【００４５】
【発明の効果】
本発明によれば、予約読取の実行中においても緊急患者の診断等のために緊急にカセッテの読取処理を実行することのできる放射線画像記録読取装置を提供できる。
【００４６】
また、複数のカセッテを装填して読取処理を行う場合、カセッテの読取処理状態を知り、緊急読取のためのカセッテを迅速かつ正確に装填することのできる放射線画像記録読取装置を提供できる。
【図面の簡単な説明】
【図１】本発明の本実施の形態による放射線画像記録読取装置本体の概略的な構成を示す図である。
【図２】図１に示す装置に装填されるカセッテの斜視図である。
【図３】図２に示すカセッテにおいて収納された放射線画像変換プレートを引き出した状態を示す斜視図である。
【図４】図２のカセッテに放射線画像変換プレートを収納した状態を、上部のケース半体を省略して示す平面図である。
【図５】図２に示すカセッテの平面図である。
【図６】図１に示す放射線画像記録読取装置の斜視図である。
【図７】図１の操作部のＣＲＴ上に表示される予約読取モードの基本画面を示す図（ａ）、及び同じく予約情報参照／修正画面を示す図（ｂ）である。
【図８】図１の操作部のＣＲＴ上にカセッテ読取処理状態を表示する画面を示す図である。
【図９】図１の装置において実行することのできる本実施の形態による、予約読取モードと緊急読取モードにおける読み取り処理のステップを説明するためのフローチャートである。
【図１０】図５のカセッテの変形例を示すカセッテの平面図である。
【符号の説明】
１                放射線画像記録読取装置
２                装置本体
３                カセッテスタッカ部（カセッテ装填部）
４                プレート搬送部（搬送手段）
５                画像読取部（画像読取手段）
６                システム制御部
７                操作部
８                電源部
９                カセッテ
１２                放射線画像変換プレート（記録プレート）
７０                ＣＲＴ
７１                タッチパネル（入力手段）
７１１〜７１５      読取状態表示部
７２０，７２０ａ    緊急読取用スイッチ
９１１ａ            緊急標識
９２０，９２１      緊急識別手段
【図１】
0003951431.tif 000002
【図２】
0003951431.tif 000003
【図３】
0003951431.tif 000004
【図４】
0003951431.tif 000005
【図５】
0003951431.tif 000006
【図６】
0003951431.tif 000007
【図７】
0003951431.tif 000008
【図８】
0003951431.tif 000009
【図９】
0003951431.tif 000010
【図１０】
0003951431.tif 000011